(57)【要約】  【課題】  装置を小型化でき、操作が簡単で、コストも低減できる呼吸状態監視装置及び呼吸状態監視システムを提供すること。  【解決手段】  呼吸センサ１が呼吸状態監視装置３に装着されると、充電池６９と内電源回路７１とを結ぶ回路が閉じて呼吸状態監視装置３がオンの状態となり、呼吸センサ１が取り外されると、充電池６９と電源回路７１とを結ぶ回路が開いて呼吸状態監視装置３がオフの状態となる。特に、呼吸状態監視装置３をベース装置４２に装着して充電するが、測定が終了し呼吸センサ１が取り外された場合には、充電池６９と電源回路７１との間の回路は開いている。よって、別途電源スイッチを設けた場合と比べて、電源スイッチの切り忘れが生じ難く、電子制御装置２７が破損することを効果的に防止できる。【選択図】  図５
2007000445.tif 000002
【特許請求の範囲】
【請求項１】
生体の呼吸状態に対応した信号を出力する呼吸センサが着脱可能に装着され、前記呼吸センサからの信号に基づいて前記呼吸状態の測定が行われる呼吸状態監視装置であって、
前記呼吸センサのコネクタの着脱によって、前記呼吸状態監視装置の電池と内部回路との電気的導通がオン・オフされる構造を備えたことを特徴とする呼吸状態監視装置。
【請求項２】
前記呼吸センサを前記呼吸状態監視装置に装着した場合に、前記呼吸センサの使用状態に対応した報知を行う報知装置を備えたことを特徴とする請求項１に記載の呼吸状態監視装置。
【請求項３】
前記生体の息の呼気動作及び吸気動作に応じて、前記報知装置の報知内容を変更することを特徴とする請求項２に記載の呼吸状態監視装置。
【請求項４】
前記報知装置による報知を、前記呼吸状態監視装置の測定開始後、所定の初期時間の経過後に停止することを特徴とする請求項４に記載の呼吸状態監視装置。
【請求項５】
前記所定の初期時間の経過後に、前記測定結果のメモリへの記憶を開始することを特徴とする請求項４に記載の呼吸状態監視装置。
【請求項６】
前記呼吸センサからの信号の状態に応じて、前記信号の増幅を行うアンプの倍率を自動調整することを特徴とする請求項１〜５のいずれかに記載の呼吸状態監視装置。
【請求項７】
前記呼吸センサを前記呼吸状態監視装置に装着して、前記生体の呼吸状態を測定した場合に、前記測定の開始時間を記録することを特徴とする請求項１〜６のいずれかに記載の呼吸状態監視装置。
【請求項８】
前記呼吸センサを前記呼吸状態監視装置に装着して、前記生体の呼吸状態を測定した場合に、所定の測定時間が経過すると前記測定を終了することを特徴とする請求項１〜７のいずれかに記載の呼吸状態監視装置。
【請求項９】
更に、前記呼吸状態監視装置を収容するケースと、該ケースを前記生体に取り付ける取付部材とを備えたことを特徴とする請求項１〜８のいずれかに記載の呼吸状態監視装置。
【請求項１０】
前記請求項１〜９のいずれかの呼吸状態監視装置に前記呼吸センサを装着したことを特徴とする呼吸状態監視システム。
【発明の詳細な説明】
【技術分野】
【０００１】
本発明は、圧電フィルム等を用いて、例えば睡眠時などの呼吸の正常・異常やいびきなどの呼吸状態を調べることができる呼吸状態監視装置及び呼吸状態監視システムに関する。
【背景技術】
【０００２】
従来より、人の呼吸の状態を調べる技術として、口元にサーミスタを貼り付ける技術が知られている（特許文献１参照）
また、体の動きを圧電素子で検出し、その検出結果から呼吸の状態を調べる技術も知られている（特許文献２参照）。
【０００３】
更に、近年では、口にＰＶＤＦ（ポリフッ化ビニリデン）フィルムを貼り付け、その検出信号から呼吸を検出する技術も開示されている（特許文献３参照）。
【特許文献１】特許第２７９４１９６号公報  （第２頁  第２図）
【特許文献２】特許第２８０３３７４号公報  （第１頁  図２）
【特許文献３】米国特許第５３１１８７５号明細書  （第１頁  第１図）
【発明の開示】
【発明が解決しようとする課題】
【０００４】
しかしながら、上述した引用文献の技術では、呼吸状態を検出するセンサを測定装置に接続して使用するが、その測定装置は大型であり、スクリーニングには使用し難いという問題があった。
【０００５】
つまり、多くの人にそれぞれ測定装置を取り付けて、各個人の呼吸の異常等を簡単に検出するためには、装置の小型化や操作性の向上などが必要であるが、従来は、そのための対策が十分では無いという問題があった。
【０００６】
本発明は以上の点に鑑みてなされたものであり、装置を小型化でき、操作が簡単で、コストも低減できる呼吸状態監視装置及び呼吸状態監視システムを提供すること目的とする。
【課題を解決するための手段】
【０００７】
（１）請求項１の発明は、生体の呼吸状態（例えば呼吸の有無やいびき）に対応した信号を出力する呼吸センサが着脱可能に装着され、前記呼吸センサからの信号に基づいて前記呼吸状態の測定（特にそのデータの記録）が行われる呼吸状態監視装置に関するものであり、本発明では、呼吸センサのコネクタの着脱によって、呼吸状態監視装置の電池と内部回路（呼吸状態監視装置を作動させる回路）との電気的導通がオン・オフされる構造を備えている。
【０００８】
本発明では、呼吸センサが呼吸状態監視装置に装着されると、電池と内部回路とを結ぶ回路が閉じて呼吸状態監視装置がオンの状態（装置の電源が入った状態）となる。一方、呼吸センサが呼吸状態監視装置から取り外されると、電池と内部回路とを結ぶ回路が開いて呼吸状態監視装置がオフの状態（装置の電源が切られた状態）となる。
【０００９】
従って、呼吸センサの着脱によって呼吸状態監視装置のオンオフを自動的に行えるので、装置を簡易化でき、小型化も可能である。また、操作が確実で操作性も優れており、コストも低減できるという利点がある。
【００１０】
特に、呼吸状態監視装置を例えばベース装置に装着して充電するような場合には、充電中に電池（充電池）と内部回路とが接続されていると、内部回路に高電圧が印加されて、内部回路等が破損する恐れがある。
【００１１】
それに対して、本発明では、呼吸状態の測定が終了し呼吸センサが取り外された場合には、電池と内部回路に到る回路は開いているので、高電圧を充電を行っても、内部回路等の破損を効果的に防止できるという利点がある。また、別途電源スイッチを設けた場合と比べても、電源スイッチの切り忘れという問題が無く、より安全である。
【００１２】
（２）請求項２の発明では、呼吸センサを呼吸状態監視装置に装着した場合に、呼吸センサの使用状態に対応した報知を行う報知装置を備えている。
本発明では、呼吸センサを呼吸状態監視装置に装着した状態にて、例えば測定開始スイッチがオンされた場合には、呼吸センサの使用状態に応じて、例えばＬＥＤの点滅等により動作状況が報知される。
【００１３】
従って、測定の開始時に呼吸センサや呼吸状態監視装置の異常の有無等を把握できるので、例えば故障した機器を使って一晩測定する様な無駄な測定を回避できるという利点がある。
【００１４】
（３）請求項３の発明では、生体の息の呼気動作及び吸気動作に応じて、報知装置の報知内容を変更する。
例えば息の呼気動作及び吸気動作に応じてＬＥＤ等を点滅するようにすれば、機器の故障を容易に把握できる。
【００１５】
（４）請求項４の発明では、報知装置による報知を、呼吸状態監視装置の測定開始後、所定の初期時間が経過すると停止する。
例えばＬＥＤが点滅すると睡眠の妨げになるので、例えば測定（監視）を開始してから３分間まで報知するようにする。
【００１６】
（５）請求項５の発明では、所定の初期時間の経過後に、測定結果のメモリへの記憶を開始する。
本発明は、メモリへの記憶のタイミングを例示したものである。
【００１７】
（６）請求項６の発明では、呼吸センサからの信号の状態に応じて、信号の増幅を行うアンプの倍率を自動調整する。
例えばアンプの倍率（信号の増幅率）の異なるアンプを、信号の状態（センサ出力の大きさ）に応じて切り替えて使用する。これによって、制御に使用するマイコンとして処理能力の低い低コストのマイコンを使用した場合でも、必要な信号処理の精度を確保することが可能になる。
【００１８】
（７）請求項７の発明では、呼吸センサを呼吸状態監視装置に装着して、生体の呼吸状態を測定した場合に、測定の開始時間を記録する。
これにより、測定の開始時間を正確に把握することができる。
【００１９】
（８）請求項８の発明では、呼吸センサを前記呼吸状態監視装置に装着して、生体の呼吸状態を測定した場合に、所定の測定時間が経過するとその測定を終了する。
生体の呼吸状態を正確に把握するには、一定の時間（例えば４時間〜１０時間）にわたり測定を行うことが必要とされるが、過度の測定時間は不要である。よって、必要な時間測定を行った後は、その測定を終了するのである。
【００２０】
（９）請求項９の発明では、更に、呼吸状態監視装置を収容するケースと、ケースを生体に取り付ける取付部材（例えばベルト）とを備えている。
従って、ケースに呼吸状態監視装置を収容し、そのケースを例えば腕に取り付けることにより、睡眠中や途中で目覚めて移動した場合などに好適に呼吸状態の測定が可能である。
【００２１】
（１０）請求項１０の発明は、請求項１〜９のいずれかの呼吸状態監視装置に呼吸センサを装着した呼吸状態監視システムである。
つまり、呼吸状態監視装置に呼吸センサを装着した呼吸状態監視システムを用いることにより、呼吸状態を好適に測定することができる。
【発明を実施するための最良の形態】
【００２２】
次に、本発明を実施するための最良の形態の例（実施例）について説明する。
【実施例１】
【００２３】
本実施例の呼吸状態監視システムは、多くの被験者に対して、その呼吸の異常を抽出（スクリーニング）するために用いられるものである。
ａ）まず、本実施例の呼吸状態監視システムを、図１〜図４を用いて説明する。
【００２４】
図１及び図２に示す様に、本実施例の呼吸状態監視システム（睡眠時無呼吸スクリーナ）は、呼吸状態、詳しくは睡眠時の呼吸の有無を検出するためのシステムであり、被験者に取り付けられる呼吸センサ１と、呼吸センサ１が着脱可能に取り付けられて、呼吸センサ１からの信号を記録する呼吸状態監視装置３とから構成されている。
【００２５】
前記呼吸センサ１は、図３に示す様に、略Ｔ字形状のセンサ本体５と、センサ本体５の左右の下端を連結する連結部７と、センサ本体５から伸びる一対のリード線９、１１と、リード線９、１１の先端に取り付けられたセンサ側コネクタ１３（図２参照）とから構成されている。
【００２６】
このうち、センサ本体５は、中央部（センサ本体５の線対称の対称軸：山の稜線部分）にて山形に折り曲げられた薄肉のフィルム状の部材であり、口及び鼻からの息を検出するための呼吸検出部１５と、呼吸検出部１５の後端側（同図左下方）の左右の両端から突出する一対の脚部１７、１９とから構成されている。
【００２７】
このセンサ本体５は、略Ｔ字状の例えばポリエステルからなるフィルム状の基材２１と、基材２１の山形の斜面の内側（同図下方：生体側）に貼り付けられた長方形の圧電素子（例えばピエゾ素子）２３とからなる。
【００２８】
また、呼吸検出部１５は、上方が凸の山形となるように折り曲げられたものであり、口からの息が当たってその流れが遮られるように口からの息のかかる方向（矢印Ａ方向）に対向するとともに、鼻からの息が流れる方向（矢印Ｂ方向）と並行となるように配置されている。
【００２９】
一方、前記呼吸状態監視装置３は、腕等に装着可能なような軽量な装置であり、図４に示す様に、略直方体のプラスチック製の筐体２５と、その内部に収容された電子制御装置２７（図５参照）とを備えている。
【００３０】
この呼吸状態監視装置３の上面には、センサ側コネクタ１３が嵌め込まれる装置側上コネクタ（モジュラージャック）２９が設けられ、後述する第１〜第４ＬＥＤ３１〜３７が半透明のカバー３９に覆われて配置されている。
【００３１】
また、呼吸状態監視装置３の左側面には、呼吸状態の測定（監視）の開始や終了のオン・オフを行う測定開始スイッチ４１が配置されている。
更に、呼吸状態監視装置３の下面には、呼吸状態監視装置３をベース装置４３（図６参照）に接続するために、装置側下コネクタ（Ｄ−ＳＵＢコネクタ）４５が配置されている。
【００３２】
尚、呼吸状態監視装置３の裏面には、呼吸状態監視装置３自身のＩＤ番号を示すバーコードのシール４７が貼り付けられている。
ｂ）次に呼吸状態監視装置３の構造について、図５〜図７を用いて説明する。
【００３３】
・図５に示す様に、呼吸状態監視装置３の電子制御装置２７として、周知のＡ／Ｄ内蔵マイコン４９、リチウム電池でバックアップされたリアルタイムクロック５１、不揮発性メモリ５３、フラッシュメモリ５５、シリアル通信回線５７を備えるとともに、チャージアンプ（ＡＭＰ）５９、ゲイン１倍ＡＭＰ６１、ゲイン２倍ＡＭＰ６３を備えている。
【００３４】
このうち、チャージＡＭＰ５９は、通常、圧電素子２３からの信号を増幅するために用いられるものであり、ゲイン１倍ＡＭＰ６１は、チャージＡＭＰ５９からの出力のゲインを１倍にするためのものであり、ゲイン２倍ＡＭＰ６３は、チャージＡＭＰ５９からの出力のゲインを２倍にするためのものである。
【００３５】
そして、前記Ａ／Ｄ内蔵マイコン４９は、バッテリ切れ表示器６５の第１ＬＥＤ３１、呼吸フロー表示器６７の第２〜第４ＬＥＤ３３〜３７に接続されている。
この第１ＬＥＤ３１は、バッテリ（充電池）６９の電圧が低下すると点灯するＬＥＤである。また、第２〜第４ＬＥＤ３３〜３７は、呼吸状態に応じて点滅するものであり、第３ＬＥＤ３５は、呼吸センサ１が呼吸状態監視装置３に接続されると点灯し、第２ＬＥＤ３３は、息が吸われると点灯し、第４ＬＥＤ３７は、息が吐かれると点灯する。
【００３６】
特に、本実施例では、前記装置側下コネクタ（Ｄ−ＳＵＢコネクタ）４５は、充電池６９を介して、装置側上コネクタ２９に接続され、更に、装置側上コネクタ２９は、電子制御装置２７に電力を供給する電源回路（内部回路）７１に接続されている。
【００３７】
つまり、呼吸状態監視装置３は、図６に示す様に、ベース装置４３に装着されることによって、ベース装置４３のベース側コネクタ１０５から、装置側下コネクタ４５の専用の充電端子（図示せず）を介して、充電池６９に充電される構成になっているが、充電池６９から電源回路７１への回路は、装置側上コネクタ２９によって、常時は、開かれた構造となっている。
【００３８】
詳しくは、図７に模式的に示す様に、装置側上コネクタ２９には、充電池６９に接続された第１装置側電源端子７３と電源回路７１に接続された第２装置側電源端子７５とは、並列に設けられている。また、チャージＡＭＰ５９に接続された１対の装置側信号端子７７、７９も、並列に設けられている。
【００３９】
一方、センサ側コネクタ１３には、装置側信号端子７７、７９に対応して、リード線９、１１に接続された一対のセンサ側信号端子８１、８３が並列に設けられている。また、第１、第２装置側電源端子７３、７５に対応して、第１、第２センサ側電源端子８５、８７が設けられており、この第１、第２センサ側電源端子８５、８７は電気的に接続されている。
【００４０】
従って、センサ側コネクタ１３を装置側上コネクタ２９に嵌め込んだ場合には、センサ側信号端子８１、８３と装置側信号端子７７、７９とがそれぞれ接続されて、呼吸センサ１から呼吸状態監視装置３への信号の取り込みが可能となる。
【００４１】
同時に、第１装置側電源端子７３と第１センサ側電源端子８５とが接続されるとともに、第２装置側電源端子７５と第２センサ側電源端子８７とが接続され、これによって、充電池６９から電源回路７１への回路が閉じ、電子制御装置２７に電力が供給されている状態となる。
【００４２】
・また、本実施例では、使用するアンプを切り替える制御を行っている。
具体的には、呼吸センサ１が呼吸状態監視装置３に装着されると、呼吸センサ１からの信号がチャージＡＭＰ５９に入力され、その信号は、ゲイン１倍ＡＭＰ６１及びゲイン２倍ＡＭＰ６３を介して、それぞれＡ／Ｄ内蔵マイコン４９に入力される。
【００４３】
そして、通常は、ゲイン２倍ＡＭＰ６３からの信号を処理して、呼吸状態の信号としてフラッシュメモリ５５に記憶されるが、その信号がＡ／Ｄ変換取り込み最大値の８０％を超えた場合には、ゲイン１倍ＡＭＰ６１からの信号を処理するように切り替えられる。
【００４４】
これによって、信号がＡ／Ｄ変換取り込み最大値の上限に達することを防止して、常に、呼吸に対応した信号の変化を検出できるようになっている。
ｃ）次に呼吸状態監視装置３の装着方法について、図８及び図９を用いて説明する。
【００４５】
図８に示す様に、本実施例では、呼吸状態監視装置３は、例えば略直方体のケース８９に収容されて使用される。
このケース８９は、その上部に開閉可能なカバー９１を備えており、ケース８９の一方の側面（紙面裏側）には、ケース８９を腕等に装着するためのベルト９３が取り付けられている。このベルト９３の一端にはリング９５が配置され、他端側の中程には面ファスナ（オス側）９７が取り付けられるとともに、同他端側の先端にも面ファスナ（メス側）９９が取り付けられている。
【００４６】
従って、この呼吸状態監視装置３を収容したケース８９を腕に取り付ける場合には、図９に示す様に、ベルト９３を腕９４に巻き付け、その一端側をリング９５に通して折り返し、面ファスナ９７、９９同士を接触させて固定する。
【００４７】
ｄ）次に呼吸状態監視装置３の使用方法について、図１０及び図１１を用いて説明する。
(1)呼吸状態の測定方法
・図１０に示す様に、個々の被験者に対してその呼吸状態を測定する場合には、呼吸状態監視装置３を収容したケース８９を、ベルト９３によって、各被験者の腕に取り付ける。このとき、呼吸センサ１は、呼吸状態監視装置３に予め装着しておいてもよいが、呼吸状態監視装置３を腕に取り付けた後に装着してもよい。
【００４８】
また、呼吸センサ１のセンサ本体５を、口と鼻との間に両面テープで取り付ける。具体的には、連結部７の接着面を口と鼻との間に貼り付ける。
尚、センサ本体５の貼り付け、呼吸状態監視装置３の腕への取り付け、呼吸センサ１の呼吸状態監視装置３への装着の順番は、適宜選択することが可能である。
【００４９】
・そして、センサ側コネクタ１３を装置側上コネクタ２９に装着すると、充電池６９から電源回路７１に到る回路が閉じて、電子制御装置２７に電極が供給される状態となる。
このとき、充電池６９の電圧が低いと、バッテリ切れ表示器６５の第１ＬＥＤ３１が点灯する。
【００５０】
・次に、測定開始スイッチ４１が「入（オン）」に操作されると、呼吸センサ１からの信号の処理が開始される。具体的には、呼吸フロー表示器６７の第３ＬＥＤ３５が点灯するとともに、息が吸われると第２ＬＥＤが点灯し、息が吐かれると第４ＬＥＤ３７が点灯する。
【００５１】
また、測定開始スイッチ４１が「入」に操作されてから３分間経過すると、第２〜第４ＬＥＤ３３〜３７は消灯する。同時に、その時間（３分間経過時の時間）をリアルタイムクロック５１から読み出して、フラッシュメモリ５５に記憶し、また、呼吸センサ１からの信号をフラッシュメモリ１に記憶する動作を開始する。
【００５２】
従って、呼吸状態を示すデータの蓄積は、測定開始スイッチ４１のオンから３分間経過後であるので、実質的な測定の開始は、この３分経過後ということができる。
・その後、測定開始スイッチ４１から１０時間経過すると、呼吸状態を示す信号の記憶を終了し、呼吸状態の測定を終了する。
【００５３】
これによって、被験者の呼吸状態をチェックするために必要なデータが、フラッシュメモリ５５に蓄積されたことになる。
・測定が終了すると、センサ本体５が顔から外されるとともに、呼吸センサ１が呼吸状態監視装置３から外されることになる。この呼吸センサ１の取り外し動作によって、充電池６９から電源回路７１に到る回路が開くことになる。
【００５４】
(2)スクリーニングの処理方法
図１１に示す様に、呼吸センサ１が外された各呼吸状態監視装置３は、ベース装置４３に装着されて、下記の様にして、スクリーニングのためにデータを収集する処理が行われる。
【００５５】
・具体的には、パソコン１０１に、ベース装置４３とバーコードリーダ１０３と接続したシステムを構築し、まず、バーコードリーダ１０３を用いて、各呼吸状態監視装置３のバーコードを読み取る。即ち、呼吸状態監視装置３自身を示すＩＤをパソコン１０１に読み込む処理を行う。
【００５６】
・次に、読み取ったＩＤに応じて、ベース装置４３の予定位置に、呼吸状態監視装置３を装着するように案内するために、例えば装着位置のランプ（図示せず）を点灯する。
・そのランプを見て、作業者が、前記図６に示す様に、呼吸状態監視装置３の装置側下コネクタ（メス側）４５をベース側コネクタ（オス側）１０５に嵌めこみ、呼吸状態監視装置３をベース装置４３に装着する。
【００５７】
この装着によって、前記図５に示す様に、ベース装置４３の充電回路（図示せず）と充電池６９とが接続され、充電が可能な状態となる。また、この充電のための回路とは別に、ベース装置４３の通信回路（図示せず）とシリアル通信回路５７とが接続され、呼吸状態監視装置３とベース装置４３との通信が可能な状態となる。
【００５８】
・従って、この装着後に、パソコン１０１からの指令によって、充電が開始される。また、呼吸状態監視装置３からは、そのＩＤと呼吸状態の測定結果を示す信号がパソコンに入力される。
【００５９】
また、データの送信が終了した場合には、パソコン１０１からの指令によって、呼吸状態監視装置３が初期状態に設定される。具体的には、フラッシュメモリ５５がクリアされ、リアルタイムクロックの時間合わせが行われる。
【００６０】
尚、呼吸状態の測定を行う場合には、この初期状態に設定された呼吸状態監視装置３が用いられる。
ｅ）次に、本実施例の効果を説明する。
【００６１】
・本実施例では、呼吸センサ１が呼吸状態監視装置３に装着されると、充電池６９と内電源回路７１とを結ぶ回路が閉じて呼吸状態監視装置３がオンの状態となり、呼吸センサ１が取り外されると、充電池６９と電源回路７１とを結ぶ回路が開いて呼吸状態監視装置３がオフの状態となる。
【００６２】
従って、呼吸センサ１の着脱によって呼吸状態監視装置３のオンオフを自動的に行えるので、装置を簡易化でき、小型化も可能である。また、操作が確実で操作性も優れており、コストも低減できるという利点がある。
【００６３】
特に、本実施例では、呼吸状態監視装置３をベース装置４３に装着して充電するが、測定が終了し呼吸センサ１が取り外された場合には、充電池６９と電源回路７１との間の回路は開いている。よって、別途電源スイッチを設けた場合と比べて、電源スイッチの切り忘れが生じるということは無く、電子制御装置２７が破損することを効果的に防止できるという利点がある。
【００６４】
従って、本実施例では、多数の被験者に対して、上述した軽量でシンプルな構造の呼吸状態監視システムを用いることにより、呼吸状態の異常等を抽出するスクリーニングの作業を大きく簡易できるという顕著な効果を奏する。
【００６５】
・本実施例では、呼吸センサ１を呼吸状態監視装置３に装着した状態にて、測定開始スイッチ４１がオンされた場合には、呼吸センサ１の使用状態に応じて、第２〜第４ＬＥＤ３３〜３７の点滅等により動作状況が報知される。従って、測定の開始時に、呼吸センサ１や呼吸状態監視装置３の異常の有無等を把握できるので、例えば故障した機器を使って一晩測定する様な無駄な測定を回避できるという利点がある。
【００６６】
しかも、前記第２〜第４ＬＥＤ３３〜３７は、測定開始スイッチ４１のオンから３分後に消灯するので、睡眠の妨げになることはない。
・本実施例では、センサ信号の大きさに応じて、使用するアンプを切り替えているので、必要な信号処理の精度を確保するとともに、制御に使用するマイコンとして処理能力の低い低コストのマイコンを使用することが可能になる。
【００６７】
・本実施例では、測定開始から１０時間経過すると、その測定を終了するので、必要十分なデータを得ることができる。
・本実施例では、ケース８９に呼吸状態監視装置３を収容し、そのケース８９をベルト９３によって腕に取り付けることにより、睡眠中や途中で目覚めて移動した場合などに好適に呼吸状態の測定ができる。
【００６８】
尚、本発明は前記実施例に何ら限定されることなく、本発明の技術的範囲を逸脱しない限り、種々の態様で実施できることはいうまでもない。
（１）例えば、圧電素子以外に、熱電対等の温度検知素子など、各種の検出素子を用いることができる。
【００６９】
（２）呼吸状態監視装置は、腕だけなく、腹等の他の位置に取り付けるようにしてもよく、或いは、取り付けるのではなく、枕元などに配置するようにしてもよい。
（３）本実施例では、呼吸を検出する例を挙げたが、呼吸だけでなく、いびきを検出することもできる。その場合には、例えばローパスフィルタやハイパスフィルタを用いればよい。
【００７０】
つまり、通常の呼吸動作（いびき無しの場合）では、呼吸センサの出力信号の周波数は低く、逆に、いびきの場合には、呼吸センサの出力信号の周波数は高くなる。従って、ローパスフィルタやハイパスフィルタを用いて、呼吸センサの出力信号の周波数の大きさを識別することにより、いびきを検出することが可能となる。
【００７１】
（４）また、チャージＡＭＰの代わりに、差動アンプを用いることもできる。
【図面の簡単な説明】
【００７２】
【図１】実施例の呼吸状態監視システムを示す説明図である。
【図２】呼吸センサの呼吸状態監視装置への装着状態を示す説明図である。
【図３】呼吸センサを示す斜視図である。
【図４】呼吸状態監視装置を示し、（ａ）は上面図、（ｂ）は正面図、（ｃ）は底面図、（ｄ）は左側面図、（ｅ）は背面図である。
【図５】呼吸状態監視装置の電気的構成を示すブロック図である。
【図６】呼吸状態監視装置のベース装置への装着状態を示す説明図である。
【図７】センサ側コネクタと装置上コネクタとを模式的に示す説明図である。
【図８】ケース及びベルトを示す説明図である。
【図９】ケースの腕への取付状態を示す説明図である。
【図１０】呼吸状態監視システムの使用方法示す説明図である。
【図１１】呼吸状態監視装置からベース装置へのデータの送信方法及び充電方法を示す説明図である。
【符号の説明】
【００７３】
１・・・呼吸センサ
３・・・呼吸状態監視装置
５・・・センサ本体
１３・・・センサ側コネクタ
２９・・・装置側上コネクタ
２３・・・圧電素子
３１、３３、３５、３７・・・ＬＥＤ
４１・・・測定開始スイッチ
４５・・・装置側下コネクタ
４９・・・Ａ／Ｄ内蔵マイコン
６９・・・充電池
７１・・・電源回路
【図１】
2007000445.tif 000003
【図２】
2007000445.tif 000004
【図３】
2007000445.tif 000005
【図４】
2007000445.tif 000006
【図５】
2007000445.tif 000007
【図６】
2007000445.tif 000008
【図７】
2007000445.tif 000009
【図８】
2007000445.tif 000010
【図９】
2007000445.tif 000011
【図１０】
2007000445.tif 000012
【図１１】
2007000445.tif 000013